(57)【要約】【課題】本発明は音響機器に使用されるスピーカモジュールおよび電子機器および装置に関するものであり、電子機器のデザイン性の向上が課題であった。【解決手段】第１の振動板２７と第２の振動板３１とをパネル３０を密閉空間を構成する壁面の一部として音響結合して構成し、このパネル３０に発光手段３３を設けてパネル３０や第２の振動板３１を発光させることにより、電子機器のデザイン性の向上を実現することができる構成としたものである。【選択図】図１
2005117121.tif 000002
【特許請求の範囲】
【請求項１】
磁気回路に結合されたフレームと、このフレームの外周部に結合された第１の振動板と、この第１の振動板に結合されるとともに、その一部が前記磁気回路の磁気ギャップに嵌め込まれるボイスコイルと、前記フレームに結合されたパネルと、前記第１の振動板を結合した前記パネルで囲まれた空間と、このパネルで囲まれた空間に結合した第２の振動板とで構成されるスピーカモジュールであって、前記パネルに発光手段を設けたスピーカモジュール。
【請求項２】
第２の振動板を透明な材料により構成した請求項１記載のスピーカモジュール。
【請求項３】
第２の振動板を略平面形状に形成した請求項１または請求項２記載のスピーカモジュール。
【請求項４】
第２の振動板面積を第１の振動板面積より大きく構成した請求項１から請求項３のいずれかに記載のスピーカモジュール。
【請求項５】
パネルを透明な材料により構成した請求項１から請求項４のいずれかに記載のスピーカモジュール。
【請求項６】
発光手段をパネルに埋設構成した請求項１から請求項５のいずれかに記載のスピーカモジュール。
【請求項７】
発光手段として発光ダイオードを用いた請求項１から請求項６のいずれかに記載のスピーカモジュール。
【請求項８】
請求項１から請求項７に記載のスピーカモジュールと操作部とを備えた電子機器。
【請求項９】
請求項１から請求項７に記載のスピーカモジュールと移動手段とを備えた装置。
【発明の詳細な説明】
【技術分野】
【０００１】
本発明は各種音響機器や情報通信機器に使用されるスピーカモジュールおよびこれを用いた各種電子機器や各種装置等に関するものである。
【背景技術】
【０００２】
従来の技術を図５を用いて説明する。
【０００３】
図５は従来のこの種のスピーカモジュールの断面図である。図５に示すように、着磁されたマグネット２を上部プレート３およびヨーク１により挟み込んで内磁型の磁気回路４を構成し、この磁気回路４のヨーク１にフレーム８を結合していた。
【０００４】
このフレーム８の周縁部には第１の振動板７を接着し、この第１の振動板７に結合されたボイスコイル６を上記磁気回路４の磁気ギャップ５にはまり込むように結合してスピーカユニットを構成していた。
【０００５】
そして、フレーム８にパネル１０を結合し、このパネル１０を密閉空間１２を構成する壁面の一部として第１の振動板７を囲い込み、前記パネル１０に第２の振動板１１を結合して第１、第２の振動板７、１１を音響結合したスピーカモジュール１３を構成していた。
【０００６】
なお、この出願の発明に関連する先行技術文献情報としては、例えば、特許文献１が知られている。
【特許文献１】特開２００３−１７９９８８号公報
【発明の開示】
【発明が解決しようとする課題】
【０００７】
上述のスピーカモジュール１３は、これを用いた電子機器および装置等のデザインを実施することが、非常にむつかしいものであった。
【０００８】
すなわち、このスピーカモジュール１３は、電子機器の薄型化や小型化、コンパクト化の要請により、平面に近い外観形状となるよう設計されている。そのため、このスピーカモジュール１３の第２の振動板１１は平面状になっており、そのデザインについては、この第２の振動板１１の表面に写真や絵をプリントしたり、液晶等の表示機能がある場合は、パネル１０と第２の振動板１１とを透明な材料により構成して、その下に液晶表示部を配置することで、第２の振動板１１には何もデザインすることなく電子機器に搭載していた。
【０００９】
前記した前者の場合は、写真や絵の内容が固定され、使用者に対して今ひとつインパクトがなく、一方後者の場合は、透明であるためスピーカモジュール１３の存在をアピールすることができないというデザイン上の課題を有するものであった。
【００１０】
本発明は、前記した課題を解決し、スピーカモジュール１３の存在をアピールでき、使用者にインパクトを与えられる外観デザインを実現できる優れたスピーカモジュールを提供することを目的とするものである。
【課題を解決するための手段】
【００１１】
上記目的を達成するために、本発明は以下の構成を有する。
【００１２】
本発明の請求項１に記載の発明は、磁気回路に結合されたフレームと、このフレームの外周部に結合された第１の振動板と、この第１の振動板に結合されるとともに、その一部が前記磁気回路の磁気ギャップに嵌め込まれるボイスコイルと、前記フレームに結合されたパネルと、前記第１の振動板を結合した前記パネルで囲まれた空間と、このパネルで囲まれた空間に結合した第２の振動板とで構成されるスピーカモジュールであって、前記パネルに発光手段を設けて構成したものである。
【００１３】
この構成により、発光手段による光をパネル内に通過させ、パネルの一部または全体を発光させて使用者の視覚に訴えることで、スピーカモジュールの存在をアピールでき、インパクトを与えられる外観デザインを実現することができる。
【００１４】
本発明の請求項２に記載の発明は、第２の振動板を透明な材料により構成したものである。この構成により、発光効率の向上が図れ、また透明な第２の振動板の下に表示部等をデザインした場合に、周囲が暗くても発光手段による光により透視して表示部等を見ることができる。
【００１５】
本発明の請求項３に記載の発明は、第２の振動板を略平面形状に形成して構成したものである。この構成により、略平面形状の第２の振動板の形状効果により、電子機器の小型化、薄型化、デザインの自由度の向上を図ることができる。
【００１６】
本発明の請求項４に記載の発明は、第２の振動板面積を第１の振動板面積より大きく構成したものである。この構成により、大きな振動板による音圧レベルの向上を図ることができる。
【００１７】
本発明の請求項５に記載の発明は、パネルを透明な材料により構成したものである。この構成により、発光効率の向上が図れ、また透明な第２の振動板を用い、透明なパネルの下に表示部等をデザインした場合に、周囲が暗くても発光手段による光により透視して表示部等を見ることができる。
【００１８】
本発明の請求項６に記載の発明は、発光手段をパネルに埋設構成したものである。この構成により、電子機器の小型化、薄型化、デザインの自由度向上を図ることができる。
【００１９】
本発明の請求項７に記載の発明は、発光手段として発光ダイオードを用いて構成したものである。この構成により、スピーカモジュールや電子機器、装置等の省電力化を図ることができる。
【００２０】
本発明の請求項８に記載の発明は、請求項１から請求項７に記載のスピーカモジュールと操作部とを備えて電子機器を構成したものである。この構成により、電子機器の外観デザイン向上を図ることができる。
【００２１】
本発明の請求項９に記載の発明は、請求項１から請求項７に記載のスピーカモジュールと移動手段とを備えて装置を構成したものである。この構成により、装置のデザイン向上を図ることができる。
【発明の効果】
【００２２】
以上のように本発明は、第１の振動板と第２の振動板とを空間を媒体として音響結合して構成し、この空間を形成するパネルに発光手段を設けたものである。この構成により、発光手段による光をパネル内に通過させ、パネルの一部または全体を発光させて使用者の視覚に訴えることで、スピーカモジュールの存在をアピールでき、インパクトを与えられる外観デザインを実現することができる。よって、電子機器の小型化、デザインの自由度向上を実現することができるスピーカモジュールを、使用者の視覚に訴える外観デザインとすることができる。
【００２３】
このように本発明は、スピーカモジュールや電子機器さらには装置のデザイン性向上を実現できる優れたスピーカモジュールを提供することができ、その工業的価値は非常に大なるものである。
【発明を実施するための最良の形態】
【００２４】
以下、本発明の実施の形態について図面を用いて説明する。なお、同様の内容については、その説明を省略して説明する。
【００２５】
（実施の形態１）
以下、実施の形態１を用いて、本発明の特に請求項１から請求項５および請求項７に記載の発明について説明する。
【００２６】
図１は本発明の一実施形態のスピーカモジュールの断面図を示したものである。
【００２７】
図１に示すように、着磁されたマグネット２２を上部プレート２３およびヨーク２１により挟み込んで内磁型の磁気回路２４を構成し、この磁気回路２４のヨーク２１にフレーム２８を結合している。このフレーム２８の周縁部には第１の振動板２７を接着し、この第１の振動板２７にボイスコイル２６を結合するとともに、上記磁気回路２４の磁気ギャップ２５にはまり込むように結合してスピーカユニットを構成している。
【００２８】
さらに、前記フレーム２８の周縁部に透明なパネル３０を結合し、このパネル３０に透明な略平面状で、かつ第１の振動板２７より面積的に大きい第２の振動板３１を接着し、第１の振動板２７と第２の振動板３１との間を空間３２により音響結合してスピーカモジュール４０を構成している。
【００２９】
ここで、この透明なパネル３０に発光手段３３として発光ダイオードを設けて構成している。
【００３０】
以上の構成とすることで、発光手段３３による光をパネル３０内に通過させ、パネル３０の一部または全体を発光させて使用者の視覚に訴えることで、スピーカモジュール４０の存在をアピールでき、インパクトを与えられる外観デザインを実現することができる。
【００３１】
また、第２の振動板３１を透明な材料により構成させることで、第２の振動板３１の下に配置させた表示物や内容物を、透明な第２の振動板３１を通して視認することができる。
【００３２】
さらに、透明なパネル３０を使用することで、透明なパネル３０の下に配置させた表示物や内容物を、透明な第２の振動板３１と透明なパネル３０を通して視認することができる。
【００３３】
そして、透明な材料を使用することで発光効率の向上が図れ、さらに透明な第２の振動板３１や透明なパネル３０の下に表示部等をデザインした場合に、周囲が暗くても発光手段による光により透視して表示物や内容物を見ることができる。
【００３４】
さらに、第２の振動板３１を略平面形状に形成して構成することにより、略平面形状の第２の振動板３１の形状効果により、このスピーカモジュール４０を使用した電子機器の小型化、薄型化、デザインの自由度向上を図ることができる。
【００３５】
さらに、第２の振動板３１の面積を第１の振動板２７の面積より大きく構成することにより、大きな第２の振動板３１による音圧レベルの向上を図ることができる。そして、セットの外周部の表面積の大きい部分を第２の振動板３１として使用できることから、効率の良いデザインを実現させることができる。
【００３６】
以上のように、透明な第２の振動板３１や透明なパネル３０の下部空間を利用して表示部をデザインすることで、透明な第２の振動板３１や透明なパネル３０の下のものが透視可能となる。この構成により、部品の配列が横方向のみならず、高さ方向も有効に利用しながら配列することができる。よって、大きな第２の振動板３１を使用しても電子機器の小型化、薄型化やデザインの自由度向上を図ることができる。
【００３７】
そして、パネル３０に発光手段を設けて、光をパネル３０内に通過させ、パネル３０の一部または全体を発光させて使用者の視覚に訴えることで、スピーカモジュール４０の存在をアピールでき、インパクトを与えられる外観デザインを実現することができる。
【００３８】
（実施の形態２）
以下、実施の形態２を用いて、本発明の特に請求項６に記載の発明について説明する。図２は本発明の一実施形態のスピーカモジュールの断面図を示したものである。
【００３９】
実施の形態１との違いについてのみ説明すると、発光手段３３をパネル３０に埋設して構成していることである。この構成により、発光手段３３とパネル３０とを結合したときの寸法を、埋設した分だけ小さくすることができる。よって、電子機器の小型化、薄型化、デザインのさらなる自由度向上を図ることができる。また、発光手段３３をパネル３０に埋設することで、パネル３０への光の透過効率をさらに向上させることができる。
【００４０】
（実施の形態３）
以下、実施の形態３を用いて、本発明の特に請求項８に記載の発明について説明する。
【００４１】
図３は、本発明の一実施形態の電子機器であるオーディオ用のミニコンポシステムの外観図を示したものである。
【００４２】
図３に示すように、本発明のスピーカモジュール４０をエンクロジャー４１に組込んで、スピーカシステムを構成し、このスピーカシステムに入力する電気信号の増幅手段であるアンプ４２と、このアンプに入力されるソースを出力するプレーヤ４３等の操作部とを備えて、電子機器であるオーディオ用のミニコンポシステム４４を構成したものである。
【００４３】
ここで、このスピーカモジュール４０は、その第２の振動板形状が角型平面状に構成されており、スピーカシステムのエンクロジャー４１の前面部一面を第２の振動板としている。そして、この大きな第２の振動板を透明なフィルムで構成し、さらに、パネルもアクリル板等の透明な樹脂材料にて構成し、このパネルに発光ダイオードを埋設構成している。
【００４４】
この構成とすることで、スピーカシステムのエンクロジャー前面部の大きなパネルを発光させて使用者の視覚に訴えることで、スピーカモジュール４０の存在をアピールでき、インパクトを与えられる外観デザインを実現することができる。また、大きな第２の振動板を使用しても電子機器の小型化、薄型化やデザインの自由度向上を図ることができる。
【００４５】
これらスピーカモジュール４０の電子機器への応用については、当例はオーディオ用のミニコンポシステムについて説明したが、当例に限定されることなく持運び可能なポータブル用のオーディオ機器やその充電用システム等への応用も可能である。
【００４６】
さらに、液晶テレビやプラズマディスプレイテレビ等の映像機器、携帯電話等の情報通信機器、コンピュータ関連機器等の電子機器に広く応用、展開が可能である。
【００４７】
（実施の形態４）
以下、実施の形態４を用いて、本発明の特に請求項９に記載の発明について説明する。
【００４８】
図４は、本発明の一実施形態である移動手段を備えた装置である自動車５０の断面図を示したものである。
【００４９】
図４に示すように、本発明のスピーカモジュール４０をリアトレイに組込んで、自動車５０を構成したものである。この構成とすることにより、自動車５０に搭載されたスピーカモジュール４０を発光させて使用者の視覚に訴えることで、スピーカモジュール４０の存在をアピールでき、インパクトを与えられるデザインを実現することができる。よって、自動車等の装置はもとより、この装置に搭載されたスピーカモジュールの小型化、薄型化とともにデザイン性の向上を図ることができる。
【産業上の利用可能性】
【００５０】
本発明にかかるスピーカモジュールは、音を出す機能以外に、発光機能により視覚に訴求できるデザインが必要な各種音響機器、さらには各種電子機器や各種装置等の用途にも適用できる。
【図面の簡単な説明】
【００５１】
【図１】本発明の一実施の形態におけるスピーカモジュールの断面図
【図２】本発明の一実施の形態におけるスピーカモジュールの断面図
【図３】本発明の一実施の形態における電子機器の外観図
【図４】本発明の一実施の形態における装置の断面図
【図５】従来のスピーカモジュールの断面図
【符号の説明】
【００５２】
２１  ヨーク
２２  マグネット
２３  上部プレート
２４  磁気回路
２５  磁気ギャップ
２６  ボイスコイル
２７  第１の振動板
２８  フレーム
３０  パネル
３１  第２の振動板
３２  空間
３３  発光手段
４０  スピーカモジュール
４１  エンクロジャー
４２  アンプ
４３  プレーヤ
４４  ミニコンポシステム
５０  自動車
【図１】
2005117121.tif 000003
【図２】
2005117121.tif 000004
【図３】
2005117121.tif 000005
【図４】
2005117121.tif 000006
【図５】
2005117121.tif 000007